(57)【特許請求の範囲】
【請求項１】
表示素子と、
タッチ検出素子と、
前記表示素子に画像を表示させ、前記タッチ検出素子にタッチを検出させる駆動部と、
前記表示素子に画像を表示させる１フレームを複数の表示期間に区分し、１フレーム中の複数の前記表示期間と前記１フレーム中の他の複数の前記表示期間との間に、前記タッチ検出素子にタッチを検出させるタッチ検出期間を設けるように前記駆動部を制御する制御部と、
を有し、
前記タッチ検出素子は、駆動電極と、前記駆動電極との間に静電容量を形成するタッチ検出電極と、を有し、
前記駆動部は、各タッチ検出期間において１回以上遷移する交流駆動信号を前記駆動電極に対して印加し、
前記交流駆動信号は、１または複数のパルスを有し、
前記制御部は、一のタッチ検出期間における前記交流駆動信号のパルス幅を、他の一のタッチ検出期間における前記交流駆動信号のパルス幅と異ならせる、表示装置。
【請求項２】
前記制御部は、所定の期間毎に前記タッチ検出期間における前記交流駆動信号のパルス幅を変化させる、請求項１に記載の表示装置。
【請求項３】
前記制御部は、ノイズが観測された場合に、前記タッチ検出期間における前記交流駆動信号のパルス幅を変化させる、請求項１又は請求項２に記載の表示装置。
【請求項４】
複数の前記表示素子は、１画面を構成し、
前記制御部は、前記タッチ検出期間ではいずれの前記表示素子も駆動させない状態に前記駆動部を制御し、前記表示期間ではいずれの前記タッチ検出素子も駆動させない状態に前記駆動部を制御する、請求項１から請求項３のいずれか１項に記載の表示装置。
【請求項５】
前記制御部は、一のタッチ検出期間における前記交流駆動信号のパルス位置を、他の一のタッチ検出期間における前記交流駆動信号のパルス位置と異ならせる、
請求項１から請求項４のいずれか１項に記載の表示装置。
【請求項６】
前記タッチ検出電極から出力される検出信号を、前記交流駆動信号の各遷移の前後のタイミングでサンプリングし、各遷移におけるサンプリング結果の変化分に基づいてタッチを検出する検出部を備えた
請求項１から請求項４のいずれか１項に記載の表示装置。
【請求項７】
前記駆動部は、所定本数の前記駆動電極ごとに前記交流駆動信号を印加する
請求項１から請求項３のいずれか１項に記載の表示装置。
【請求項８】
前記表示素子は、
液晶層と、
前記液晶層および前記駆動電極の間に形成され、もしくは前記駆動電極を挟んで前記液
晶層と対向するように配置された画素電極と
を含んで構成される
請求項１から請求項３のいずれか１項に記載の表示装置。
【請求項９】
前記表示素子は、
液晶層と、
前記液晶層を挟んで前記駆動電極と対向するように配置された画素電極と
を含んで構成される
請求項１から請求項３のいずれか１項に記載の表示装置。
【請求項１０】
前記駆動部は、前記駆動電極に対して、前記タッチ検出期間以外の期間において表示駆
動信号を印加する
請求項１から請求項３のいずれか１項に記載の表示装置。
【請求項１１】
表示素子に画像を表示させ、駆動電極及び前記駆動電極との間に静電容量を形成するタッチ検出電極を有するタッチ検出素子にタッチを検出させ、
前記表示素子に画像を表示させる１フレームを複数の表示期間に区分し、１フレーム中の複数の前記表示期間と前記１フレーム中の他の複数の前記表示期間との間のタッチ検出期間に、前記タッチ検出素子にタッチを検出させ、
各タッチ検出期間において１回以上遷移する交流駆動信号を前記駆動電極に対して印加し、
前記交流駆動信号は、１または複数のパルスを有し、
一のタッチ検出期間における前記交流駆動信号のパルス幅を、他の一のタッチ検出期間における前記交流駆動信号のパルス幅と異ならせる、
駆動回路。
【請求項１２】
複数の前記表示素子は、１画面を構成し、
前記駆動回路は、前記タッチ検出期間においては前記１画面中のいずれの前記表示素子も駆動せず、前記表示期間においてはいずれの前記タッチ検出素子も駆動しない、
請求項１１に記載の駆動回路。
【請求項１３】
表示素子と、
駆動電極、及び前記駆動電極との間に静電容量を形成するタッチ検出電極を有するタッチ検出素子と、
前記表示素子に画像を表示させ、前記タッチ検出素子にタッチを検出させる駆動部と、
前記駆動部を制御する制御部と、を有する表示装置の駆動方法であって、
前記表示素子に画像を表示させる１フレームは、複数の表示期間に区分され、
前記１フレーム中の複数の前記表示期間と前記１フレーム中の他の複数の前記表示期間との間に、前記タッチ検出素子にタッチを検出させるタッチ検出期間が設けられており、
前記タッチ検出期間において前記タッチ検出素子を駆動してタッチ検出を行うステップと、
前記表示期間において前記表示素子を駆動して画像表示を行うステップと、を有し、
前記タッチ検出を行うステップは、
各タッチ検出期間において、１回以上遷移して１または複数のパルスを有する交流駆動信号を前記駆動電極に対して印加し、
一のタッチ検出期間における前記交流駆動信号のパルス幅を、他の一のタッチ検出期間における前記交流駆動信号のパルス幅と異ならせる、
表示装置の駆動方法。
【請求項１４】
複数の前記表示素子は、１画面を構成し、
前記タッチ検出期間においては前記１画面中のいずれの前記表示素子も駆動せず、前記表示期間においてはいずれの前記タッチ検出素子も駆動しない、
請求項１３に記載の表示装置の駆動方法。
【請求項１５】
請求項１から請求項３のいずれか１項に記載の表示装置を備える電子機器。
【請求項１６】
複数の前記表示素子は、１画面を構成し、
前記制御部は、前記タッチ検出期間ではいずれの前記表示素子も駆動させない状態に前記駆動部を制御し、前記表示期間ではいずれの前記タッチ検出素子も駆動させない状態に前記駆動部を制御する、請求項１５に記載の電子機器。
【発明の詳細な説明】
【技術分野】
【０００１】
本開示は、タッチ検出機能を有する表示装置、駆動回路、駆動方法、およびそのような表示装置を備えた電子機器に関する。
【背景技術】
【０００２】
近年、いわゆるタッチパネルと呼ばれる接触検出装置を液晶表示装置等の表示パネル上に装着し、あるいはタッチパネルと表示パネルとを一体化し、その表示パネルに各種のボタン画像等を表示させることにより、通常の機械式ボタンの代わりとして情報入力を可能とした表示装置が注目されている。このようなタッチパネルを有する表示装置は、キーボードやマウス、キーパッドのような入力装置を必要としないため、コンピュータのほか、携帯電話のような携帯情報端末などでも、使用が拡大する傾向にある。
【０００３】
タッチパネルの方式としては、光学式や抵抗式などいくつかの方式が存在するが、比較的単純な構造をもち、かつ低消費電力が実現できる、静電容量式のタッチパネルが期待されている。例えば、特許文献１には、表示パネルにもともと備えられている表示用の共通電極を、一対のタッチセンサ用電極のうちの一方として兼用し、他方の電極（タッチ検出電極）をこの共通電極と交差するように配置した、いわゆるインセルタイプのタッチ検出機能付き表示装置が提案されている。また、表示パネルの表示面上にタッチパネルを形成した、いわゆるオンセルタイプのタッチ検出機能付き表示装置もいくつか提案されている。
【先行技術文献】
【特許文献】
【０００４】
【特許文献１】特開２００９−２４４９５８号公報
【発明の概要】
【発明が解決しようとする課題】
【０００５】
このような表示装置では、例えば、表示動作およびタッチ検出動作を同期して行う場合がある。このような場合には、タッチ検出動作が表示動作により制約を受けるため、タッチ検出動作の自由度が低くなってしまうおそれがある。
【０００６】
本開示はかかる問題点に鑑みてなされたもので、その目的は、タッチ検出動作の自由度を高めることができる表示装置、駆動回路、駆動方法、および電子機器を提供することにある。
【課題を解決するための手段】
【０００７】
本開示の表示装置は、表示素子と、タッチ検出素子と、駆動部とを備えている。駆動部は、１フレーム期間を構成する複数の単位駆動期間のそれぞれにおいて、Ｍ本の水平ラインを順次表示させるように表示素子を駆動し、その単位駆動期間内に設けられた、Ｍよりも少ないＮ個のタッチ検出期間においてタッチ検出素子を駆動するものである。
【０００８】
本開示の駆動回路は、１フレーム期間を構成する複数の単位駆動期間のそれぞれにおい
て、Ｍ本の水平ラインを順次表示させるように表示素子を駆動し、その単位駆動期間内に
設けられた、Ｍよりも少ないＮ個のタッチ検出期間においてタッチ検出素子を駆動する駆
動部を備えたものである。
【０００９】
本開示の駆動方法は、１フレーム期間を構成する複数の単位駆動期間のそれぞれにおい
て、Ｍ本の水平ラインを順次表示させるように表示素子を駆動し、単位駆動期間内に設け
られた、Ｍよりも少ないＮ個のタッチ検出期間においてタッチ検出素子を駆動するもので
ある。
【００１０】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１１】
本開示の表示装置、駆動回路、駆動方法、および電子機器では、単位駆動期間において、Ｍ本の水平ラインに対する表示駆動が順次行われる。その際、その単位駆動期間に設けられた、Ｍよりも少ないＮ個のタッチ検出期間において、タッチ検出素子が駆動される。
【発明の効果】
【００１２】
本開示の表示装置、駆動回路、駆動方法、および電子機器によれば、単位駆動期間に設けられた、Ｍよりも少ないＮ個のタッチ検出期間において、タッチ検出素子を駆動するようにしたので、タッチ検出動作の自由度を高めることができる。
【図面の簡単な説明】
【００１３】
【図１】本開示の表示パネルにおけるタッチ検出方式の基本原理を説明するための図であり、指が接触または近接していない状態を表す図である。
【図２】本開示の表示パネルにおけるタッチ検出方式の基本原理を説明するための図であり、指が接触または近接した状態を表す図である。
【図３】本開示の表示パネルにおけるタッチ検出方式の基本原理を説明するための図であり、駆動信号およびタッチ検出信号の波形の一例を表す図である。
【図４】本開示の実施の形態に係る表示パネルの一構成例を表すブロック図である。
【図５】図４に示した選択スイッチ部の一構成例を表すブロック図である。
【図６】図４に示したタッチ検出機能付き表示デバイスの概略断面構造を表す断面図である。
【図７】図４に示したタッチ検出機能付き表示デバイスにおける画素配列を表す回路図である。
【図８】図４に示したタッチ検出機能付き表示デバイスにおける駆動電極およびタッチ検出電極の一構成例を表す斜視図である。
【図９】図４に示した表示パネルにおけるタッチ検出走査の一例を表す模式図である。
【図１０】第１の実施の形態に係る表示パネルの一動作例を表すタイミング図である。
【図１１】第１の実施の形態に係る交流駆動信号およびタッチ検出信号の波形例を表す波形図である。
【図１２】第１の実施の形態に係るタッチ検出走査を表すタイミング波形図である。
【図１３】第１の実施の形態に係るタッチ検出動作の一例を表す波形図である。
【図１４】第１の実施の形態の変形例に係る表示パネルの一動作例を表すタイミング図である。
【図１５】第１の実施の形態の他の変形例に係る表示パネルの一動作例を表すタイミング図である。
【図１６】第１の実施の形態の他の変形例に係る表示パネルの一動作例を表すタイミング図である。
【図１７】第１の実施の形態の他の変形例に係る表示パネルの一動作例を表すタイミング図である。
【図１８】第２の実施の形態に係る交流駆動信号およびタッチ検出信号の波形例を表す波形図である。
【図１９】第２の実施の形態に係るタッチ検出動作の一例を表す波形図である。
【図２０】第２の実施の形態に係るタッチ検出動作の他の例を表す波形図である。
【図２１】第２の実施の形態の変形例に係るタッチ検出走査を表すタイミング波形図である。
【図２２】第３の実施の形態に係る交流駆動信号およびタッチ検出信号の波形例を表す波形図である。
【図２３】第４の実施の形態に係る表示パネルの一動作例を表すタイミング図である。
【図２４】第５の実施の形態に係る表示パネルの一動作例を表すタイミング図である。
【図２５】実施の形態を適用した表示パネルの適用例の外観構成を表す斜視図である。
【図２６】変形例に係る表示パネルにおけるタッチ検出走査の一例を表す模式図である。
【図２７】他の変形例に係る交流駆動信号およびタッチ検出信号の波形例を表す波形図である。
【図２８】他の変形例に係る交流駆動信号およびタッチ検出信号の波形例を表す波形図である。
【図２９】他の変形例に係るタッチ検出機能付き表示デバイスの概略断面構造を表す断面図である。
【発明を実施するための形態】
【００１４】
以下、本開示の実施の形態について、図面を参照して詳細に説明する。なお、説明は以下の順序で行う。
１．静電容量式タッチ検出の基本原理
２．第１の実施の形態
３．第２の実施の形態
４．第３の実施の形態
５．第４の実施の形態
６．第５の実施の形態
７．適用例
【００１５】
＜１．静電容量式タッチ検出の基本原理＞
まず最初に、図１〜図３を参照して、本開示の表示パネルにおけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述する交流駆動信号ＶcomACに相当するものである。
【００１６】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１７】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００１８】
＜２．第１の実施の形態＞
［構成例］
（全体構成例）
図４は、実施の形態に係る表示パネルの一構成例を表すものである。この表示パネル１は、液晶表示パネルと静電容量式のタッチパネルとを一体化した、いわゆるインセルタイプの表示装置である。
【００１９】
この表示パネル１は、制御部１１と、ゲートドライバ１２と、ソースドライバ１３と、選択スイッチ部１４と、駆動電極ドライバ１６と、タッチ検出機能付き表示デバイス１０と、タッチ検出部４０とを備えている。
【００２０】
制御部１１は、映像信号Ｖdispに基づいて、ゲートドライバ１２、ソースドライバ１３、駆動電極ドライバ１６、およびタッチ検出部４０に対してそれぞれ制御信号を供給し、これらがお互いに同期して動作するように制御する回路である。その際、制御部１１は、後述するように、タッチ検出機能付き表示デバイス１０の液晶表示デバイス２０において２行分の水平ラインを表示するごとに、タッチ検出期間Ｐｔを１回設けるように、これらの回路を制御する。
【００２１】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、後述するように、走査信号線ＧＣＬを介して、走査信号Ｖscanを画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択する。
【００２２】
ソースドライバ１３は、制御部１１から供給される映像信号および制御信号に基づいて、画素信号Ｖsigを生成し出力するものである。具体的には、ソースドライバ１３は、後述するように、１水平ライン分の映像信号から、タッチ検出機能付き表示デバイス１０の液晶表示デバイス２０の複数（この例では３つ）のサブ画素ＳＰixの画素信号Ｖpixを時分割多重した画素信号Ｖsigを生成し、選択スイッチ部１４に供給するようになっている。また、ソースドライバ１３は、画素信号Ｖsigに多重化された画素信号Ｖpixを分離するために必要なスイッチ制御信号Ｖsel（ＶselR，ＶselG，ＶselB）を生成し、画素信号Ｖsigとともに選択スイッチ部１４に供給する機能も有している。なお、この多重化は、ソースドライバ１３と選択スイッチ部１４との間の配線数を少なくするために行われるものである。
【００２３】
選択スイッチ部１４は、ソースドライバ１３から供給された画素信号Ｖsigおよびスイッチ制御信号Ｖselに基づいて、画素信号Ｖsigに時分割多重された画素信号Ｖpixを分離し、タッチ検出機能付き表示デバイス１０の液晶表示デバイス２０に供給するものである。
【００２４】
図５は、選択スイッチ部１４の一構成例を表すものである。選択スイッチ部１４は、複数のスイッチグループ１７を有する。各スイッチグループ１７は、この例では、３つのスイッチＳＷＲ，ＳＷＧ，ＳＷＢを有しており、それぞれの一端は互いに接続されソースドライバ１３から画素信号Ｖsigが供給され、他端はタッチ検出機能付き表示デバイス１０の液晶表示デバイス２０の画素信号線ＳＧＬを介して、画素Ｐixに係る３つのサブ画素ＳＰix（Ｒ，Ｇ，Ｂ）にそれぞれ接続されている。この３つのスイッチＳＷＲ，ＳＷＧ，ＳＷＢは、ソースドライバ１３から供給されたスイッチ制御信号Ｖsel（ＶselR，ＶselG，ＶselB）によってそれぞれオンオフ制御されるようになっている。この構成により、選択スイッチ部１４は、スイッチ制御信号Ｖselに応じてこの３つのスイッチＳＷＲ，ＳＷＧ，ＳＷＢを時分割的に順次切り替えてオン状態にすることにより、多重化された画素信号Ｖsigから画素信号Ｖpix（ＶpixR，ＶpixG，ＶpixB）を分離するように機能する。そして、選択スイッチ部１４は、これらの画素信号Ｖpixを、３つのサブ画素ＳＰixにそれぞれ供給するようになっている。
【００２５】
駆動電極ドライバ１６は、制御部１１から供給される制御信号に基づいて、タッチ検出機能付き表示デバイス１０の駆動電極ＣＯＭＬ（後述）に駆動信号Ｖcomを供給する回路である。具体的には、駆動電極ドライバ１６は、後述するように、表示期間Ｐｄにおいて、駆動電極ＣＯＭＬに対して直流駆動信号ＶcomDCを印加する。また、駆動電極ドライバ１６は、後述するように、タッチ検出期間Ｐｔにおいて、タッチ検出動作の対象となる駆動電極ＣＯＭＬに対して交流駆動信号ＶcomACを印加し、それ以外の駆動電極ＣＯＭＬに対して直流駆動信号ＶcomDCを印加する。交流駆動信号ＶcomACは、この例では２つのパルスを有するものである。駆動電極ドライバ１６は、後述するように、所定の数の駆動電極ＣＯＭＬからなるブロック（後述する駆動電極ブロックＢ）ごとに駆動電極ＣＯＭＬを駆動するようになっている。
【００２６】
タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、液晶素子ＬＣ（後述）を表示素子として用いた表示デバイスであり、この例ではｑＨＤ（Quarter High Definition）の解像度（９６０ピクセル×５４０ピクセル）を有するデバイスである。なお、この解像度に限定されるものではなく、他の解像度であってもよい。この液晶表示デバイス２０は、後述するように、ゲートドライバ１２から供給される走査信号Ｖscanに従って、１水平ラインずつ順次走査して表示を行うデバイスである。タッチ検出デバイス３０は、上述した静電容量式タッチ検出の基本原理に基づいて動作し、タッチ検出信号Ｖdetを出力するものである。このタッチ検出デバイス３０は、後述するように、駆動電極ドライバ１６から供給される交流駆動信号ＶcomACに従って順次走査してタッチ検出を行うようになっている。
【００２７】
タッチ検出部４０は、制御部１１から供給される制御信号と、タッチ検出機能付き表示デバイス１０のタッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０はＬＰＦ（Low Pass Filter）部４２と、Ａ／Ｄ変換部４３と、信号処理部４４と、座標抽出部４５と、検出タイミング制御部４６とを有している。ＬＰＦ部４２は、タッチ検出デバイス３０から供給されるタッチ検出信号Ｖdetに含まれる高い周波数成分（ノイズ成分）を除去し、タッチ成分を取り出してそれぞれ出力する低域通過フィルタである。ＬＰＦ部４２の入力端子のそれぞれと接地との間には、直流電位（例えば０Ｖ）を与えるための抵抗Ｒが接続されている。Ａ／Ｄ変換部４３は、交流駆動信号ＶcomACに同期したタイミングで、ＬＰＦ部４２から出力されるアナログ信号をそれぞれサンプリングしてデジタル信号に変換する回路である。信号処理部４４は、Ａ／Ｄ変換部４３の出力信号に基づいて、タッチ検出デバイス３０に対するタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御する機能を有している。
【００２８】
（タッチ検出機能付き表示デバイス１０）
次に、タッチ検出機能付き表示デバイス１０の構成例を詳細に説明する。
【００２９】
図６は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００３０】
画素基板２は、回路基板としてのＴＦＴ基板２１と、駆動電極ＣＯＭＬと、画素電極２２とを有している。ＴＦＴ基板２１は、各種電極や配線、薄膜トランジスタ（ＴＦＴ；Thin Film Transistor）などが形成される回路基板として機能するものである。ＴＦＴ基板２１は例えばガラスにより構成されるものである。ＴＦＴ基板２１の上には、駆動電極ＣＯＭＬが形成される。駆動電極ＣＯＭＬは、複数の画素Ｐix（後述）に共通の電圧を供給するための電極である。この駆動電極ＣＯＭＬは、液晶表示動作のための共通駆動電極として機能するとともに、タッチ検出動作のための駆動電極としても機能するものである。駆動電極ＣＯＭＬの上には絶縁層２３が形成され、その上に画素電極２２が形成される。画素電極２２は、画素信号Ｖpixを供給するための電極であり、透光性を有するものである。駆動電極ＣＯＭＬおよび画素電極２２は、例えばＩＴＯ（Indium Tin Oxide）により構成される。
【００３１】
対向基板３は、ガラス基板３１と、カラーフィルタ３２と、タッチ検出電極ＴＤＬとを有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが形成されている。タッチ検出電極ＴＤＬは、例えばＩＴＯにより構成され、透光性を有する電極である。このタッチ検出電極ＴＤＬの上には、偏光板３５が配設されている。
【００３２】
液晶層６は、表示機能層として機能するものであり、電界の状態に応じてそこを通過する光を変調するものである。この電界は、駆動電極ＣＯＭＬの電圧と画素電極２２の電圧との電位差により形成される。液晶層６には、ＦＦＳ（フリンジフィールドスイッチング）やＩＰＳ（インプレーンスイッチング）等の横電界モードの液晶が用いられる。
【００３３】
なお、液晶層６と画素基板２との間、および液晶層６と対向基板３との間には、それぞれ配向膜が配設され、また、画素基板２の下面側には入射側偏光板が配置されるが、ここでは図示を省略している。
【００３４】
図７は、液晶表示デバイス２０における画素構造の構成例を表すものである。液晶表示デバイス２０は、マトリックス状に配列した複数の画素Ｐixを有している。各画素Ｐixは、３つのサブ画素ＳＰixにより構成される。この３つのサブ画素ＳＰixは、図６に示したカラーフィルタ３２の３色（ＲＧＢ）にそれぞれ対応するものである。サブ画素ＳＰixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３５】
サブ画素ＳＰixは、走査信号線ＧＣＬにより、液晶表示デバイス２０の同じ行に属する他のサブ画素ＳＰixと互いに接続されている。走査信号線ＧＣＬは、ゲートドライバ１２と接続され、ゲートドライバ１２より走査信号Ｖscanが供給される。また、サブ画素ＳＰixは、画素信号線ＳＧＬにより、液晶表示デバイス２０の同じ列に属する他のサブ画素ＳＰixと互いに接続されている。画素信号線ＳＧＬは、選択スイッチ部１４と接続され、選択スイッチ部１４より画素信号Ｖpixが供給される。
【００３６】
さらに、サブ画素ＳＰixは、駆動電極ＣＯＭＬにより、液晶表示デバイス２０の同じ行に属する他のサブ画素ＳＰixと互いに接続されている。駆動電極ＣＯＭＬは、駆動電極ドライバ１６と接続され、駆動電極ドライバ１６より駆動信号Ｖcom（直流駆動信号ＶcomDC）が供給される。
【００３７】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐixに対して、ソースドライバ１３および選択スイッチ部１４が画素信号Ｖpixを供給することにより、１水平ラインずつ表示が行われるようになっている。
【００３８】
図８は、タッチ検出デバイス３０の一構成例を斜視的に表すものである。タッチ検出デバイス３０は、画素基板２に設けられた駆動電極ＣＯＭＬ、および対向基板３に設けられたタッチ検出電極ＴＤＬにより構成されている。駆動電極ＣＯＭＬは、図の左右方向に延在する帯状の電極パターンを有している。タッチ検出動作を行う際は、後述するように、各電極パターンには、所定の数の駆動電極ＣＯＭＬからなるブロック（後述する駆動電極ブロックＢ）ごとに交流駆動信号ＶcomACが順次供給され、時分割的に順次走査駆動が行われるようになっている。タッチ検出電極ＴＤＬは、駆動電極ＣＯＭＬの電極パターンの延在方向と直交する方向に延びる帯状の電極パターンを有している。タッチ検出電極ＴＤＬの各電極パターンは、タッチ検出部４０のＬＰＦ部４２の入力にそれぞれ接続されている。駆動電極ＣＯＭＬとタッチ検出電極ＴＤＬにより互いに交差した電極パターンは、その交差部分に静電容量を形成している。
【００３９】
この構成により、タッチ検出デバイス３０では、駆動電極ドライバ１６により駆動電極ＣＯＭＬに対して印加された交流駆動信号ＶcomACがタッチ検出電極ＴＤＬに伝わり、タッチ検出電極ＴＤＬからタッチ検出信号Ｖdetとして出力される。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図８に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４０】
駆動電極ドライバ１６は、所定の数の駆動電極ＣＯＭＬからなるブロック（駆動電極ブロックＢ）ごとに駆動電極ＣＯＭＬを駆動して、タッチ検出走査を行う。
【００４１】
図９は、タッチ検出走査を模式的に表すものである。図９では、タッチ検出面が２０個の駆動電極ブロックＢ１〜Ｂ２０により構成される場合の、各駆動電極ブロックＢ１〜Ｂ２０に対する交流駆動信号ＶcomACの供給動作を示している。図９において、斜線で示した駆動電極ブロックＢは、交流駆動信号ＶcomACが供給されていることを示し、その他の駆動電極ブロックＢは、直流駆動信号ＶcomDCが供給されていることを示す。
【００４２】
駆動電極ドライバ１６は、駆動電極ＣＯＭＬに対して、駆動電極ブロックＢごとに交流駆動信号ＶcomACを印加する。この駆動電極ブロックＢは、例えば、ユーザの指の大きさに対応する幅（例えば５ｍｍ程度）に設定される。駆動電極ドライバ１６は、図９に示したように、タッチ検出動作の対象となる駆動電極ブロックＢを順次選択して、その駆動電極ブロックＢに属する駆動電極ＣＯＭＬに交流駆動信号ＶcomACを印加することにより、全ての駆動電極ブロックＢにわたって走査する。なお、この例では、説明の便宜上、駆動電極ブロックＢの個数を２０個としているが、これに限定されるものではない。
【００４３】
［動作および作用］
続いて、本実施の形態の表示パネル１の動作および作用について説明する。
【００４４】
（全体動作概要）
まず、図４を参照して、表示パネル１の全体動作概要を説明する。制御部１１は、映像信号Ｖdispに基づいて、ゲートドライバ１２、ソースドライバ１３、駆動電極ドライバ１６、およびタッチ検出部４０に対してそれぞれ制御信号を供給し、これらがお互いに同期して動作するように制御する。その際、制御部１１は、タッチ検出機能付き表示デバイス１０の液晶表示デバイス２０において２行分の水平ラインを表示するごとに、タッチ検出期間Ｐｔを１回設けるように、これらの回路を制御する。
【００４５】
ゲートドライバ１２は、液晶表示デバイス２０に走査信号Ｖscanを供給し、表示駆動の対象となる１水平ラインを順次選択する。ソースドライバ１３は、画素信号Ｖpixが多重化された画素信号Ｖsigと、それに対応したスイッチ制御信号Ｖselを生成し、選択スイッチ部１４に供給する。選択スイッチ部１４は、画素信号Ｖsigおよびスイッチ制御信号Ｖselに基づいて画素信号Ｖpixを分離生成し、その画素信号Ｖpixを、１水平ラインを構成する各画素Ｐixに供給する。駆動電極ドライバ１６は、表示期間Ｐｄにおいて、全ての駆動電極ＣＯＭＬに対して直流駆動信号ＶcomDCを印加する。また、駆動電極ドライバ１６は、タッチ検出期間Ｐｔにおいて、タッチ検出動作の対象となる駆動電極ブロックＢに属する駆動電極ＣＯＭＬに対して、交流駆動信号ＶcomACを印加するとともに、その他の駆動電極ＣＯＭＬに対して直流駆動信号ＶcomDCを印加する。タッチ検出機能付き表示デバイス１０は、表示期間Ｐｄにおいて表示動作を行うとともに、タッチ検出期間Ｐｔにおいてタッチ検出動作を行い、タッチ検出電極ＴＤＬからタッチ検出信号Ｖdetを出力する。
【００４６】
タッチ検出部４０は、タッチ検出信号Ｖdetに基づいて、タッチ検出面におけるタッチを検出する。具体的には、ＬＰＦ部４２は、タッチ検出信号Ｖdetに含まれる高い周波数成分（ノイズ成分）を除去し、タッチ成分を取り出して出力する。Ａ／Ｄ変換部４３は、ＬＰＦ部４２から出力されるアナログ信号をデジタル信号に変換する。信号処理部４４は、Ａ／Ｄ変換部４３の出力信号に基づいて、タッチ検出面におけるタッチの有無を検出する。座標抽出部４５は、信号処理部４４においてタッチ検出がなされたときに、そのタッチパネル座標を求める。検出タイミング制御部４６は、ＬＰＦ部４２、Ａ／Ｄ変換部４３、信号処理部４４、座標抽出部４５が同期して動作するように制御する。
【００４７】
（詳細動作）
次に、いくつかの図を参照して、表示パネル１の動作を詳細に説明する。
【００４８】
図１０は、表示パネル１のタイミング波形例を表すものであり、（Ａ）は走査信号Ｖscanの波形を示し、（Ｂ）は画素信号Ｖsigの波形を示し、（Ｃ）はスイッチ制御信号Ｖselの波形を示し、（Ｄ）は画素信号Ｖpixの波形を示し、（Ｅ）は駆動信号Ｖcomの波形を示し、（Ｆ）はタッチ検出信号Ｖdetの波形を示す。
【００４９】
表示パネル１では、繰り返し設けられた単位駆動期間ＰＵのそれぞれにおいて、表示動作およびタッチ検出動作が行われる。この単位駆動期間ＰＵには、タッチ検出動作を行うタッチ検出期間Ｐｔと、それぞれにおいて１行分の水平ラインに対する表示動作を行う２つの表示期間Ｐｄ１，Ｐｄ２とが設けられている。表示動作では、ゲートドライバ１２が、走査信号線ＧＣＬに対して走査信号Ｖscanを順次印加することにより表示走査を行う。タッチ検出動作では、駆動電極ドライバ１６が、駆動電極ブロックＢごとに交流駆動信号ＶcomACを順次印加することによりタッチ検出走査を行い、タッチ検出部４０が、タッチ検出電極ＴＤＬから出力されるタッチ検出信号Ｖdetに基づいてタッチを検出する。以下にその詳細を説明する。
【００５０】
まず、タイミングｔ１において、単位駆動期間ＰＵが開始するとともに、タッチ検出期間Ｐｔが開始する。
【００５１】
駆動電極ドライバ１６は、タイミングｔ１〜ｔ２の期間（タッチ検出期間Ｐｔ）において、駆動電極ＣＯＭＬに対して交流駆動信号ＶcomACを印加し、タッチ検出部４０が、タッチ検出信号Ｖdetに基づいて、タッチ検出を行う。具体的には、駆動電極ドライバ１６は、タッチ検出期間Ｐｔにおいて、タッチ検出動作に係るｋ番目の駆動電極ブロックＢ(k)を構成する駆動電極ＣＯＭＬに対して、交流駆動信号ＶcomACを印加する（図１０（Ｅ））。この交流駆動信号ＶcomACは、静電容量を介してタッチ検出電極ＴＤＬに伝わり、タッチ検出信号Ｖdetが変化する（図１０（Ｆ））。そして、タッチ検出部４０は、このタッチ検出信号Ｖdetに基づいて、タッチ検出を行う。
【００５２】
次に、タイミングｔ２において、タッチ検出期間Ｐｔが終了するとともに、１番目の表示期間Ｐｄ１が開始する。この表示期間Ｐｄ１では、ｎ行目の水平ラインに対する表示動作が行われる。
【００５３】
この表示期間Ｐｄ１において、まず、ゲートドライバ１２は、タイミングｔ３において、表示動作に係るｎ行目の走査信号線ＧＣＬ(n)に対して、走査信号Ｖscanを印加し、走査信号Ｖscan(n)が低レベルから高レベルに変化する（図１０（Ａ））。これにより、ゲートドライバ１２は、表示動作の対象となるｎ行目の水平ラインを選択する。
【００５４】
そして、ソースドライバ１３が、画素信号Ｖsigとして、赤色のサブ画素ＳＰixのための画素電圧ＶＲを選択スイッチ部１４に供給するとともに（図１０（Ｂ））、その画素電圧ＶＲを供給している期間において高レベルとなるスイッチ制御信号ＶselRを生成する（図１０（Ｃ））。そして、選択スイッチ部１４は、このスイッチ制御信号ＶselRが高レベルとなる期間においてスイッチＳＷＲをオン状態にすることにより、ソースドライバ１３から供給された画素電圧ＶＲを画素信号Ｖsigから分離し、画素信号ＶpixRとして、画素信号線ＳＧＬを介して、赤色のサブ画素ＳＰixに対して供給する（図１０（Ｄ））。なお、スイッチＳＷＲがオフ状態になった後には、この画素信号線ＳＧＬがフローティング状態になるために、この画素信号線ＳＧＬの電圧は保持される（図１０（Ｄ））。
【００５５】
同様に、ソースドライバ１３は、緑色のサブ画素ＳＰixのための画素電圧ＶＧを、対応するスイッチ制御信号ＶselGとともに選択スイッチ部１４に供給し（図１０（Ｂ），（Ｃ））、選択スイッチ部１４は、スイッチ制御信号ＶselGに基づいて、この画素電圧ＶＧを画素信号Ｖsigから分離して、画素信号ＶpixGとして、画素信号線ＳＧＬを介して、緑色のサブ画素ＳＰixに供給する（図１０（Ｄ））。
【００５６】
その後、同様に、ソースドライバ１３は、青色のサブ画素ＳＰixのための画素電圧ＶＢを、対応するスイッチ制御信号ＶselBとともに選択スイッチ部１４に供給し（図１０（Ｂ），（Ｃ））、選択スイッチ部１４は、スイッチ制御信号ＶselBに基づいて、この画素電圧ＶＢを画素信号Ｖsigから分離して、画素信号ＶpixBとして、画素信号線ＳＧＬを介して、青色のサブ画素ＳＰixに供給する（図１０（Ｄ））。
【００５７】
次に、ゲートドライバ１２は、タイミングｔ４において、ｎ行目の走査信号線ＧＣＬの走査信号Ｖscan(n)を高レベルから低レベルに変化させる（図１０（Ａ））。これにより、表示動作に係る１水平ラインのサブ画素Ｓpixは、画素信号線ＳＧＬから電気的に切り離される。
【００５８】
そして、タイミングｔ５において１番目の表示期間Ｐｄ１が終了するとともに、２番目の表示期間Ｐｄ２が開始する。この表示期間Ｐｄ２では、表示期間Ｐｄ１と同様に、（ｎ＋１）行目の水平ラインに対する表示動作が行われる。
【００５９】
この表示期間Ｐｄ２において、まず、ゲートドライバ１２は、タイミングｔ６において、表示動作に係る（ｎ＋１）行目の走査信号線ＧＣＬ(n+1)に対して、走査信号Ｖscanを印加し、走査信号Ｖscan(n+1)が低レベルから高レベルに変化する（図１０（Ａ））。これにより、ゲートドライバ１２は、表示動作の対象となる（ｎ＋１）行目の水平ラインを選択する。
【００６０】
そして、ソースドライバ１３は、赤色のサブ画素Ｓpixのための画素電圧ＶＲを、対応するスイッチ制御信号ＶselRとともに選択スイッチ部１４に供給し（図１０（Ｂ），（Ｃ））、選択スイッチ部１４は、スイッチ制御信号ＶselRに基づいて、この画素電圧ＶＧを画素信号Ｖsigから分離して、画素信号ＶpixRとして、画素信号線ＳＧＬを介して、緑色のサブ画素ＳＰixに供給する（図１０（Ｄ））。同様に、ソースドライバ１３は、緑色のサブ画素ＳＰixに対して画素信号ＶＰixGを供給し、青色のサブ画素ＳＰixに対して画素信号ＶＰixBを供給する（図１０（Ｄ））。
【００６１】
次に、ゲートドライバ１２は、タイミングｔ７において、（ｎ＋１）行目の走査信号線ＧＣＬの走査信号Ｖscan(n+1)を高レベルから低レベルに変化させる（図１０（Ａ））。これにより、表示動作に係る１水平ラインのサブ画素Ｓpixは、画素信号線ＳＧＬから電気的に切り離される。
【００６２】
そして、タイミングｔ８において２番目の表示期間Ｐｄ２が終了するとともに単位駆動期間ＰＵが終了し、その後、新たな単位駆動期間ＰＵが開始する。
【００６３】
これ以降、上述した動作を繰り返すことにより、表示パネル１では、線順次走査により、表示面全体における表示動作が行われるとともに、以下に示すように駆動電極ブロックＢずつ走査することにより、タッチ検出面全体におけるタッチ検出動作が行われる。
【００６４】
（タッチ検出動作）
次に、タッチ検出動作について、詳細に説明する。
【００６５】
図１１（Ａ）は交流駆動信号ＶcomACの波形を表し、図１１（Ｂ）はタッチ検出信号Ｖdetの波形を表すものである。交流駆動信号ＶcomACは、２つのパルスからなるものである。これらの２つのパルスのパルス幅およびパルス間隔は、この例では、互いに等しい時間ｔｗに設定されている。この時間ｔｗは、例えば２［ｕｓｅｃ］である。この交流駆動信号ＶcomACが、静電容量を介してタッチ検出電極ＴＤＬに伝わることにより、図１１（Ｂ）に示したようなタッチ検出信号Ｖdetが生じる。
【００６６】
タッチ検出部４０のＡ／Ｄ変換部４３は、この交流駆動信号ＶcomACにおける各遷移の前後のタイミング（サンプリングタイミングｔｓ１〜ｔｓ８）において、このタッチ検出信号Ｖdetが入力されたＬＰＦ部４２の出力信号をＡ／Ｄ変換して（図１１（Ｂ））、データＤ（ｔｓ１）〜Ｄ（ｔｓ８）を求める。
【００６７】
そして、タッチ検出部４０の信号処理部４４は、これらのデータＤ（ｔｓ１）〜Ｄ（ｔｓ８）に基づいて、各遷移におけるタッチ検出信号Ｖdetの変化量Ｒ１（＝Ｄ（ｔｓ２）−Ｄ（ｔｓ１）），Ｆ１（＝Ｄ（ｔｓ４）−Ｄ（ｔｓ３）），Ｒ２（＝Ｄ（ｔｓ６）−Ｄ（ｔｓ５）），Ｆ２（＝Ｄ（ｔｓ８）−Ｄ（ｔｓ７））を求める。すなわち、変化量Ｒ１，Ｒ２は正の値を有し（Ｒ１，Ｒ２＞０）、変化量Ｆ１，Ｆ２は負の値を有する（Ｆ１，Ｆ２＜０）。
【００６８】
次に、信号処理部４４は、これらの変化量Ｒ１，Ｆ１，Ｒ２，Ｆ２に基づいて、次式を用いて、そのタッチ検出期間Ｐｔにおける検出データＤＤを求める。
ＤＤ＝Ｒ１−Ｆ１＋Ｒ２−Ｆ２  ・・・（１）
【００６９】
信号処理部４４は、以下に説明するように、複数の単位駆動期間ＰＵ（複数のタッチ検出期間Ｐｔ）においてこの検出データＤＤを収集し、それらの検出データＤＤに基づいてタッチ検出を行う。
【００７０】
図１２は、タッチ検出走査の動作例を表すものであり、（Ａ）は駆動信号Ｖcomの波形を示し、（Ｂ）はタッチ検出信号Ｖdetの波形を示す。
【００７１】
駆動電極ドライバ１６は、図１２に示したように、駆動電極ＣＯＭＬに対して、駆動電極ブロックＢごとに交流駆動信号ＶcomACを順次印加してタッチ検出走査を行う。その際、駆動電極ドライバ１６は、各駆動電極ブロックＢに対して、所定の複数（例えば３０個）の単位駆動期間ＰＵにわたり、交流駆動信号ＶcomACを印加する（図１２（Ａ））。タッチ検出部４０は、各単位駆動期間ＰＵにおいて、この交流駆動信号ＶcomACに基づくタッチ検出信号Ｖdetをサンプリングして検出データＤＤを求める。そして、信号処理部４４は、３０個の検出データＤＤを、例えば、３０タップのＦＩＲ（Finite Impulse Response）フィルタにより平均化して、その駆動電極ブロックＢに対応する領域におけるタッチの有無などを検出する。このように、複数のサンプリング結果に基づいてタッチ検出を行うようにしたので、サンプリング結果を統計的に解析することが可能となり、サンプリング結果のばらつきに起因するＳ／Ｎ比の劣化を抑えることができ、タッチ検出の精度を高めることができる。
【００７２】
（タッチ検出動作の誤動作の防止について）
静電容量式のタッチパネルでは、インバータ蛍光灯やＡＭ波、ＡＣ電源などに起因するノイズ（外乱ノイズ）がタッチパネルに伝播し、誤動作を引き起こす可能性がある。この誤動作は、タッチの有無に関する信号（タッチ信号）と外乱ノイズとを区別できないことに起因する。表示パネル１では、交流駆動信号ＶcomACを２つのパルスにより構成することにより、そのような誤動作を抑えることができる。以下に、詳細に説明する。
【００７３】
図１３は、外乱ノイズが印加された場合のサンプリング動作を模式的に表すものであり、（Ａ）は交流駆動信号ＶcomACの波形を示し、（Ｂ）〜（Ｄ）はその外乱ノイズに起因してタッチ検出信号Ｖdetに重畳されるノイズ信号の一例をそれぞれ示している。
【００７４】
まず、図１３（Ｂ）に示したノイズ信号ＶＮ１の場合について説明する。ノイズ信号ＶＮ１は、時間ｔｗを周期とする信号であり、時間ｔｗが２［ｕｓｅｃ］の場合には、その周波数は５００［ｋＨｚ］である。
【００７５】
図１３（Ｂ）に示したように、ノイズ信号ＶＮ１は、交流駆動信号ＶcomACの各遷移の前後において、全て同じ変化分（ノイズｎ１）となる。よって、タッチ検出信号Ｖdetにノイズ信号ＶＮ１が重畳された場合には、検出データＤＤは、次式のようになる。
ＤＤ＝（Ｒ１＋ｎ１）−（Ｆ１＋ｎ１）＋（Ｒ２＋ｎ１）−（Ｆ２＋ｎ１）
＝Ｒ１−Ｆ１＋Ｒ２−Ｆ２                                    ・・・（２）
すなわち、例えば、交流駆動信号ＶcomACの１パルス目の立ち上がりに係るノイズｎ１と立ち下がりに係るノイズｎ１とが打ち消し合い、同様に、交流駆動信号ＶcomACの２パルス目の立ち上がりに係るノイズｎ１と立ち下がりに係るノイズｎ１とが打ち消し合うため、式（２）に示したように、検出データＤＤにはノイズｎ１は現れない。言い換えれば、ノイズ信号ＶＮ１では、交流駆動信号ＶcomACにおける反対極性の遷移タイミングペアＰＡに、同極性のノイズｎ１（ペアＰ１）が生じるため、互いに打ち消し合うこととなる。よって、ノイズ信号ＶＮ１は、タッチ検出動作に影響を与えることはない。
【００７６】
なお、ノイズ信号ＶＮ１の整数倍の周波数をもつノイズ信号も、同様の原理により打ち消されるため、タッチ検出動作に影響を与えることはない。
【００７７】
次に、図１３（Ｃ）に示したノイズ信号ＶＮ２の場合について説明する。ノイズ信号ＶＮ２は、時間ｔｗの４／３倍を周期とする信号であり、時間ｔｗが２［ｕｓｅｃ］の場合には、その周波数は３７５［ｋＨｚ］である。
【００７８】
図１３（Ｃ）に示したように、ノイズ信号ＶＮ２は、交流駆動信号ＶcomACの１パルス目の立ち上がりの前後においてノイズｎ２だけ変化し、２パルス目の立ち上がりの前後においてノイズ（−ｎ２）だけ変化する。よって、タッチ検出信号Ｖdetにノイズ信号ＶＮ２が重畳された場合には、検出データＤＤは、次式のようになる。
ＤＤ＝（Ｒ１＋ｎ２）−Ｆ１＋（Ｒ２−ｎ２）−Ｆ２
＝Ｒ１−Ｆ１＋Ｒ２−Ｆ２                                    ・・・（３）
すなわち、この例では、交流駆動信号ＶcomACの１パルス目の立ち上がりに係るノイズｎ２と、交流駆動信号ＶcomACの２パルス目の立ち上がりに係るノイズ（−ｎ２）とが打ち消し合うため、式（３）に示したように、検出データＤＤにはノイズｎ２は現れない。言い換えれば、ノイズ信号ＶＮ２では、交流駆動信号ＶcomACにおける同極性の遷移タイミングペアＰＢに、反対極性のノイズｎ２，−ｎ２（ペアＰ２）が生じるため、互いに打ち消し合うこととなる。よって、ノイズ信号ＶＮ２は、タッチ検出動作に影響を与えることはない。
【００７９】
次に、図１３（Ｄ）に示したノイズ信号ＶＮ３の場合について説明する。ノイズ信号ＶＮ３は、時間ｔｗの４倍を周期とする信号であり、時間ｔｗが２［ｕｓｅｃ］の場合には、その周波数は１２５［ｋＨｚ］である。
【００８０】
図１３（Ｄ）に示したように、ノイズ信号ＶＮ３は、交流駆動信号ＶcomACの１パルス目の立ち上がりの前後においてノイズｎ３だけ変化し、２パルス目の立ち上がりの前後においてノイズ（−ｎ３）だけ変化する。よって、タッチ検出信号Ｖdetにノイズ信号ＶＮ３が重畳された場合には、検出データＤＤは、次式のようになる。
ＤＤ＝（Ｒ１＋ｎ３）−Ｆ１＋（Ｒ２−ｎ３）−Ｆ２
＝Ｒ１−Ｆ１＋Ｒ２−Ｆ２                                    ・・・（４）
すなわち、この例では、交流駆動信号ＶcomACの１パルス目の立ち上がりに係るノイズｎ３と、交流駆動信号ＶcomACの２パルス目の立ち上がりに係るノイズ（−ｎ３）とが打ち消し合うため、式（４）に示したように、検出データＤＤにはノイズｎ３は現れない。言い換えれば、ノイズ信号ＶＮ３では、ノイズ信号ＶＮ２の場合と同様に、交流駆動信号ＶcomACにおける同極性の遷移タイミングペアＰＢに、反対極性のノイズｎ３，−ｎ３（ペアＰ３）が生じるため、互いに打ち消し合うこととなる。よって、ノイズ信号ＶＮ３は、タッチ検出動作に影響を与えることはない。
【００８１】
なお、ノイズ信号ＶＮ２の周波数は、ノイズ信号ＶＮ３の周波数の３倍であり、上述したように、ノイズ信号ＶＮ２，ＶＮ３は、同様の原理により打ち消されるものである。このように、ノイズ信号ＶＮ３の奇数倍の周波数をもつノイズ信号は、同様の原理により打ち消されるため、タッチ検出動作に影響を与えることはない。
【００８２】
以上に説明したように、表示パネル１は、ノイズ信号ＶＮ１〜ＶＮ３のような様々な周波数のノイズ信号を打ち消すことができる。これらの周波数は、例えば時間ｔｗなどを調整することにより変更することができる。これにより、表示パネル１では、外乱ノイズの周波数が既知の場合において、そのノイズを打ち消すように、交流駆動信号ＶcomACのパルス幅およびパルス間隔を調整することにより、その外乱ノイズに対する耐性を向上することができる。
【００８３】
このように、表示パネル１では、交流駆動信号を複数のパルスにより構成したので、複数の周波数（この例では１２５［ｋＨｚ］、３７５［ｋＨｚ］、５００［ｋＨｚ］等）のノイズに対する耐性を高めることができる。これにより、表示パネル１では、単一の周波数の外乱ノイズが印加される場合だけでなく、例えば複数の周波数の外乱ノイズや、幅の広いスペクトラムを有する外乱ノイズが印加される場合などにおいても、外乱ノイズに対する耐性を向上することができる。
【００８４】
表示パネル１では、２行分の表示動作ごとにタッチ検出期間Ｐｔを１つ設けている。すなわち、表示パネル１は、１行分の表示動作ごとにタッチ検出期間を設ける場合における、２つのタッチ検出期間を１つにまとめることにより、長い時間幅を有する１つのタッチ検出期間Ｐｔを得るものである。そして、表示パネル１は、このようにして得た長いタッチ検出期間Ｐｔを有効に利用して、ノイズに対する耐性を高めている。すなわち、表示パネル１では、このタッチ検出期間Ｐｔにおいて、複数のパルスを有する交流駆動信号ＶcomACを用いてタッチ検出動作を行うことにより、上述したように、複数の周波数のノイズを打ち消すことができるため、ノイズに対する耐性を高めることができる。
【００８５】
このように、表示パネル１では、２行分の表示動作ごとにタッチ検出期間Ｐｔを設けるようにしたので、タッチ検出動作のためのまとまった長い時間を確保できるため、タッチ検出動作の自由度を高めることができる。
【００８６】
［効果］
以上のように本実施の形態では、複数行分の表示動作ごとにタッチ検出期間を設けるようにしたので、長いタッチ検出期間を得ることができ、タッチ検出動作の自由度を高めることができる。具体的には、例えば、このタッチ検出期間に印加する交流駆動信号のパルス数を増やし、あるいはパルス幅やパルス位置を変更することができる。
【００８７】
特に、本実施の形態では、このようにして確保したタッチ検出期間において、交流駆動信号を複数のパルスにより構成した場合には、周波数が互いに異なる複数のノイズ信号を打ち消すことができ、ノイズによる誤動作のおそれを低減することができる。
【００８８】
［変形例１−１］
上記実施の形態では、２行分の表示動作ごとにタッチ検出期間Ｐｔを１つ設けたが、これに限定されるものではなく、複数行分の表示動作ごとに、その行数よりも少ない数のタッチ検出期間Ｐｔを設けるものであれば、どのようなものであってもよい。具体的には、例えば、図１４に示したように、４行分の表示動作ごとにタッチ検出期間Ｐｔを１つ設けてもよい。この場合には、上記実施の形態の場合（図１０）に比べて、タッチ検出期間Ｐｔの時間幅を長くすることができるため、例えば、交流駆動信号ＶcomACをより多くのパルス（この例では４つ）により構成するなど、タッチ検出動作の自由度を高めることができる。また、例えば、図１５に示したように、４行分の表示動作ごとにタッチ検出期間Ｐｔを３つ設けてもよい。この例では、タッチ検出期間Ｐｔ１〜Ｐｔ３および表示期間Ｐｄ１〜Ｐｄ４が、Ｐｔ１，Ｐｄ１，Ｐｔ２，Ｐｄ２，Ｐｔ３，Ｐｄ３，Ｐｄ４の順に配置されている。このように、複数行分の表示動作ごとに、その行数よりも少ない数のタッチ検出期間Ｐｔを設けることにより、タッチ検出期間をより長くすることができるため、タッチ検出動作の自由度を高めることができる。
【００８９】
［変形例１−２］
上記実施の形態では、交流駆動信号ＶcomACを２つのパルスにより構成したが、これに限定されるものではなく、これに代えて、例えば、３つ以上のパルスにより構成してもよい。これにより、より多くのノイズ成分を打ち消すことができ、それらの外乱ノイズに対する耐性を向上することができる。
【００９０】
［変形例１−３］
上記実施の形態では、交流駆動信号ＶcomACのパルス幅およびパルス間隔を互いに等しくしたが、これに限定されるものではなく、これに代えて、例えば、各パルスのパルス幅およびパルス間隔を互いに異なるようにしてもよい。
【００９１】
［変形例１−４］
上記実施の形態の構成に加え、さらに、単位駆動期間ＰＵの時間幅を可変に構成してもよい。これにより、例えば、単位駆動期間ＰＵの時間の逆数に相当する周波数の整数倍付近の外乱ノイズに対する耐性をさらに高めることができる。以下に、本変形例に係る表示パネルの詳細を説明する。
【００９２】
図１６（Ａ）〜（Ｄ）は単位駆動期間ＰＵの時間幅が短い場合における動作のタイミング図を表すものであり、  図１６（Ｅ）〜（Ｈ）は単位駆動期間ＰＵの時間幅が長い場合における動作のタイミング図を表すものである。図１６において、（Ａ），（Ｅ）は走査信号Ｖscanの波形を示し、（Ｂ），（Ｆ）は画素信号Ｖsigの波形を示し、（Ｃ），（Ｇ）はスイッチ制御信号Ｖselの波形を示し、（Ｄ），（Ｈ）は駆動信号Ｖcomの波形を示す。
【００９３】
本変形例に係る表示パネルでは、図１６に示したように、単位駆動期間ＰＵの時間幅を変化させることができる。具体的には、この例では、各表示期間Ｐｄ１，Ｐｄ２において、操作信号Ｖscanが高レベルから低レベルに変化した後の時間を変化させることにより、単位駆動期間ＰＵの時間幅を変化させている。これにより、外乱ノイズに起因するタッチ検出動作の誤動作のおそれを低減することができる。
【００９４】
すなわち、外乱ノイズの周波数が、単位駆動期間ＰＵの時間の逆数に相当する周波数の整数倍付近である場合において、その外乱ノイズがＡ／Ｄ変換部４３においてＡ／Ｄ変換されると、その外乱ノイズは、周波数０の近傍にいわゆる折り返しノイズとして現れてしまう。これにより、周波数０の近傍のタッチ信号に、この折り返しノイズが混ざり合うため、タッチ信号とノイズ信号とを区別することができない。本変形例に係る表示パネルでは、単位駆動期間ＰＵの時間幅を変化させることができるため、外乱ノイズの影響を受けない条件を選択して、タッチ検出を行うことができる。
【００９５】
［変形例１−５］
上記実施の形態では、ｎ行目および（ｎ＋１）行目に係る表示期間Ｐｄ１，Ｐｄ２が単位駆動期間ＰＵを構成したが、例えば、この構成をフレームごとに変更するようにしてもよい。以下に、その詳細を説明する。
【００９６】
図１７（Ａ），（Ｂ）は、あるフレーム期間Ｐｆ１における動作のタイミング図を表すものであり、図１７（Ｃ），（Ｄ）は、他のあるフレーム期間Ｐｆ２における動作のタイミング図を表すものである。図１７において、（Ａ），（Ｃ）は走査信号Ｖscanの波形を示し、（Ｂ），（Ｄ）は駆動信号Ｖcomの波形を示す。本変形例に係る表示パネルでは、このフレーム期間Ｐｆ１と、フレーム期間Ｐｆ２とが交互に配置されるようになっている。
【００９７】
図１７に示したように、フレーム期間Ｐｆ１では、この例では、ｎ行目および（ｎ＋１）行目に係る表示期間が単位駆動期間ＰＵを構成し、フレーム期間Ｐｆ２では、（ｎ＋１）行目および（ｎ＋２）行目に係る表示期間が単位駆動期間ＰＵを構成する。言い換えれば、例えば、（ｎ＋１）行目の表示動作は、フレーム期間Ｐｆ１では、単位駆動期間ＰＵのうちの第２の表示期間Ｐｄ２において行われ（図１７（Ａ），（Ｂ））、フレーム期間Ｐｆ２では、単位駆動期間ＰＵのうちの第１の表示期間Ｐｄ１において行われる（図１７（Ｃ），（Ｄ））。
【００９８】
本変形例は、例えば、タッチ検出期間Ｐｔにおけるタッチ検出動作が、その直後の表示期間Ｐｄ１における表示動作に影響を及ぼす場合に有効である。すなわち、この場合には、例えば、（ｎ＋１）行目の表示動作は、フレーム期間Ｐｆ２では、図１７（Ｃ），（Ｄ）に示したように表示期間Ｐｄ１において行われるため、その前にあるタッチ検出期間Ｐｔにおけるタッチ検出動作の影響をうけるが、フレーム期間Ｐｆ１では、図１７（Ａ），（Ｂ）に示したように表示期間Ｐｄ２において行われるため、タッチ検出動作の影響を受けない。同様に、他の行の表示動作も、フレーム期間Ｐｆ１，Ｐｆ２のうちの一方においてのみ、タッチ検出動作の影響を受けることとなる。これにより、本変形例に係る表示パネルでは、例えば特定の行における表示動作だけがタッチ検出動作の影響を受けることがないため、画質の低下を抑えることができる。
【００９９】
＜３．第２の実施の形態＞
次に、第２の実施の形態に係る表示パネル５について説明する。本実施の形態は、長いタッチ検出期間を確保することにより得られたタッチ検出動作の高い自由度を利用して、交流駆動信号ＶcomACのパルス幅を変更可能に構成したものである。すなわち、上記第１の実施の形態（図１１）では、交流駆動信号を複数のパルスにより構成することにより、周波数が互いに異なる複数のノイズに対する耐性を高めるようにしたが、これに代えて、本実施の形態では、パルス幅を変化させることにより、同様の効果を得るものである。なお、上記第１の実施の形態に係る表示パネル１と実質的に同一の構成部分には同一の符号を付し、適宜説明を省略する。
【０１００】
表示パネル５は、駆動電極ドライバ５６を備えている（図４）。駆動電極ドライバ５６は、１つのパルスからなる交流駆動信号ＶcomACを生成する。その際、駆動電極ドライバ５６は、そのパルスのパルス幅を変化させることができるようになっている。
【０１０１】
図１８（Ａ），（Ｂ）は、パルス幅を狭めた場合（ケースＣ１）の交流駆動信号ＶcomACおよびタッチ検出信号Ｖdetの波形を表し、図１８（Ｃ），（Ｄ）は、パルス幅を広げた場合（ケースＣ２）の交流駆動信号ＶcomACおよびタッチ検出信号Ｖdetの波形を表す。ケースＣ１におけるパルス幅ｔｗ２（図１８（Ａ））は、例えば４［ｕｓｅｃ］であり、ケースＣ２におけるパルス幅ｔｗ３（図１８（Ｃ））は、例えば６［ｕｓｅｃ］である。これらの交流駆動信号ＶcomAC（図１８（Ａ），（Ｃ））は、上記第１の実施の形態の場合と同様に、静電容量を介してタッチ検出電極ＴＤＬに伝わることにより、図１８（Ｂ），
（Ｄ）に示したようなタッチ検出信号Ｖdetが生じる。
【０１０２】
タッチ検出部４０のＡ／Ｄ変換部４３は、この交流駆動信号ＶcomACにおける各遷移の前後のタイミング（サンプリングタイミングｔｓ１〜ｔｓ４）において、このタッチ検出信号Ｖdetが入力されたＬＰＦ部４２の出力信号をＡ／Ｄ変換して（図１８（Ｂ），（Ｄ））、データＤ（ｔｓ１）〜Ｄ（ｔｓ４）を求める。
【０１０３】
そして、タッチ検出部４０の信号処理部４４は、これらのデータＤ（ｔｓ１）〜Ｄ（ｔｓ４）に基づいて、各遷移におけるタッチ検出信号Ｖdetの変化量Ｒ１（＝Ｄ（ｔｓ２）−Ｄ（ｔｓ１）），Ｆ１（＝Ｄ（ｔｓ４）−Ｄ（ｔｓ３））を求める。すなわち、変化量Ｒ１は正の値を有し（Ｒ１＞０）、変化量Ｆ１は負の値を有する（Ｆ１＜０）。
【０１０４】
次に、信号処理部４４は、これらの変化量Ｒ１，Ｆ１に基づいて、次式を用いて、そのタッチ検出期間Ｐｔにおける検出データＤＤを求める。
ＤＤ＝Ｒ１−Ｆ１  ・・・（５）
【０１０５】
そして、信号処理部４４は、上記第１の実施の形態の場合と同様に、複数の単位駆動期間ＰＵにおいて収集したこの検出データＤＤに基づいて、タッチ検出を行う。
【０１０６】
次に、外乱ノイズが印加された場合の動作を、パルス幅を狭めた場合（ケースＣ１）およびパルス幅を広げた場合（ケースＣ２）のそれぞれについて順に説明する。
【０１０７】
図１９は、パルス幅を狭めた場合（ケースＣ１）のサンプリング動作を模式的に表すものであり、（Ａ）は交流駆動信号ＶcomACの波形を示し、（Ｂ），（Ｃ）はタッチ検出信号Ｖdetに重畳されるノイズ信号の一例をそれぞれ示している。
【０１０８】
ノイズ信号ＶＮ４（図１９（Ｂ））は、時間ｔｗ２の半分を周期とする信号であり、時間ｔｗ２が４［ｕｓｅｃ］の場合には、その周波数は５００［ｋＨｚ］である。図１９（Ｂ）に示したように、ノイズ信号ＶＮ４は、交流駆動信号ＶcomACの各遷移において、同じ変化分（ノイズｎ４）となる。よって、タッチ検出信号Ｖdetにノイズ信号ＶＮ１が重畳された場合には、検出データＤＤは、次式のようになる。
ＤＤ＝（Ｒ１＋ｎ４）−（Ｆ１＋ｎ４）
＝Ｒ１−Ｆ１                    ・・・（６）
すなわち、交流駆動信号ＶcomACの立ち上がりに係るノイズｎ４と立ち下がりに係るノイズｎ４とが打ち消し合うため、式（６）に示したように、検出データＤＤにはノイズｎ４は現れない。
【０１０９】
ノイズ信号ＶＮ５（図１９（Ｃ））は、時間ｔｗ２を周期とする信号であり、時間ｔｗ２が４［ｕｓｅｃ］の場合には、その周波数は２５０［ｋＨｚ］である。図１９（Ｃ）に示したように、ノイズ信号ＶＮ５は、交流駆動信号ＶcomACの各遷移において、同じ変化分（ノイズｎ５）となる。よって、ノイズ信号ＶＮ４の場合と同様に、検出データＤＤにはノイズｎ５は現れない。
【０１１０】
このように、ノイズ信号ＶＮ４，ＶＮ５では、交流駆動信号ＶcomACにおける反対極性の遷移タイミングペアＰＣに、同極性のノイズが生じるため、互いに打ち消し合うこととなる。同様に、ノイズ信号ＶＮ５の整数倍の周波数をもつノイズ信号は、同様の原理により打ち消されるため、タッチ検出動作に影響を与えることはない。
【０１１１】
図２０は、パルス幅を広げた場合（ケースＣ２）のサンプリング動作を模式的に表すものであり、（Ａ）は交流駆動信号ＶcomACの波形を示し、（Ｂ）〜（Ｄ）はタッチ検出信号Ｖdetに重畳されるノイズ信号の一例をそれぞれ示している。
【０１１２】
ノイズ信号ＶＮ６（図２０（Ｂ））は、時間ｔｗ３の１／３を周期とする信号であり、時間ｔｗ３が６［ｕｓｅｃ］の場合には、その周波数は５００［ｋＨｚ］である。図２０（Ｂ）に示したように、ノイズ信号ＶＮ６は、交流駆動信号ＶcomACの各遷移において、同じ変化分（ノイズｎ６）となる。よって、タッチ検出信号Ｖdetにノイズ信号ＶＮ１が重畳された場合には、検出データＤＤは、次式のようになる。
ＤＤ＝（Ｒ１＋ｎ６）−（Ｆ１＋ｎ６）
＝Ｒ１−Ｆ１                    ・・・（７）
すなわち、交流駆動信号ＶcomACの立ち上がりに係るノイズｎ６と立ち下がりに係るノイズｎ６とが打ち消し合うため、式（７）に示したように、検出データＤＤにはノイズｎ６は現れない。
【０１１３】
ノイズ信号ＶＮ７（図２０（Ｃ））は、時間ｔｗ３の半分を周期とする信号であり、時間ｔｗ３が６［ｕｓｅｃ］の場合には、その周波数は３３３［ｋＨｚ］である。図２０（Ｃ）に示したように、ノイズ信号ＶＮ７は、交流駆動信号ＶcomACの各遷移において、同じ変化分（ノイズｎ７）となる。よって、ノイズ信号ＶＮ６の場合と同様に、検出データＤＤにはノイズｎ７は現れない。
【０１１４】
ノイズ信号ＶＮ８（図２０（Ｄ））は、時間ｔｗ３を周期とする信号であり、時間ｔｗ３が６［ｕｓｅｃ］の場合には、その周波数は１６６［ｋＨｚ］である。図２０（Ｄ）に示したように、ノイズ信号ＶＮ８は、交流駆動信号ＶcomACの各遷移において、同じ変化分（ノイズｎ８）となる。よって、ノイズ信号ＶＮ６の場合と同様に、検出データＤＤにはノイズｎ８は現れない。
【０１１５】
このように、ノイズ信号ＶＮ６〜ＶＮ８では、交流駆動信号ＶcomACにおける反対極性の遷移タイミングペアＰＤに、同極性のノイズが生じるため、互いに打ち消し合うこととなる。同様に、ノイズ信号ＶＮ８の整数倍の周波数をもつノイズ信号は、同様の原理により打ち消されるため、タッチ検出動作に影響を与えることはない。
【０１１６】
このように、表示パネル５では、パルス幅を狭めた場合（ケースＣ１）には、この例では２５０［ｋＨｚ］，５００［ｋＨｚ］等のノイズを打ち消し、パルス幅を広げた場合（ケースＣ２）には、この例では１６６［ｋＨｚ］，３３３［ｋＨｚ］，５００［ｋＨｚ］等のノイズを打ち消すことができる。よって、表示パネル５では、パルス幅を変更することにより、様々な周波数のノイズに対する耐性を高めることができる。
【０１１７】
具体的には、例えば、パルス幅を変更することによりノイズの影響が少ない条件（パルス幅）を求めた後、その条件にてタッチ検出動作を行うようにしてもよいし、例えば、所定の期間（例えば１フレーム期間）ごとにパルス幅を変更しながらタッチ検出動作を行い、ノイズが多い条件での検出結果のみを破棄するようにしてもよい。また、例えば、通常は所定のパルス幅でタッチ検出動作を行い、ノイズが観測された場合において、パルス幅を変更してタッチ検出動作を続けるようにしてもよい。なお、ノイズを測定する方法としては、例えば、タッチ検出動作により得られたタッチ検出面全面の検出データを利用する方法や、ノイズを測定するための専用フレームを設ける方法がある。
【０１１８】
以上のように本実施の形態では、本実施の形態では、複数行分の表示動作ごとにタッチ検出期間を設けた長いタッチ検出期間において、交流駆動信号のパルス幅を変化させるようにしたので、周波数が互いに異なる複数のノイズ信号を打ち消すことができ、ノイズによる誤動作のおそれを低減することができる。
【０１１９】
［変形例２−１］
上記実施の形態では、パルス幅を２つのパルス幅ｔｗ２，ｔｗ３（ケースＣ１，Ｃ２）の間で切り換えたが、これに限定されるものではなく、これに代えて、３つ以上のパルス幅の間で切り換えてもよい。
【０１２０】
［変形例２−２］
上記実施の形態でも、上記第１の実施の形態の変形例１−１，１−４，１−５を適用することができる。
【０１２１】
［変形例２−３］
上記実施の形態では、同じパルス幅の交流駆動信号ＶcomACを用いて得られた検出データＤＤを、ＦＩＲフィルタにより平均化してタッチ検出を行ったが、これに限定されるものではなく、これに代えて、例えば、図２１に示したように、単位駆動期間ＰＵごとにパルス幅を切り換え、互いに異なるパルス幅の交流駆動信号ＶcomACを用いて得られた検出データＤＤを、ＦＩＲフィルタにより平均化してタッチ検出を行ってもよい。
【０１２２】
＜４．第３の実施の形態＞
次に、第３の実施の形態に係る表示パネル６について説明する。本実施の形態は、長いタッチ検出期間を確保することにより得られたタッチ検出動作の高い自由度を利用して、上記第１の実施の形態と同様に交流駆動信号ＶcomACのパルス数を増やすとともに、そのパルス幅およびパルス間隔を変更可能に構成したものである。なお、上記第１および第２の実施の形態に係る表示パネル１，２と実質的に同一の構成部分には同一の符号を付し、適宜説明を省略する。
【０１２３】
表示パネル６は、駆動電極ドライバ６６を備えている（図４）。駆動電極ドライバ６６は、複数のパルスからなる交流駆動信号ＶcomACを生成する。その際、駆動電極ドライバ６６は、そのパルス幅およびパルス間隔を変化させることができる。
【０１２４】
図２２（Ａ），（Ｂ）は、交流駆動信号ＶcomACおよびタッチ検出信号Ｖdetの波形の一例を表し、図２２（Ｃ），（Ｄ）は、パルス周期を維持したままパルス幅を狭めた場合の交流駆動信号ＶcomACおよびタッチ検出信号Ｖdetの波形を表し、図２２（Ｅ），（Ｆ）は、パルス幅を維持したままパルス間隔を狭めた場合の交流駆動信号ＶcomACおよびタッチ検出信号Ｖdetの波形を表す。
【０１２５】
タッチ検出部４０のＡ／Ｄ変換部４３は、上記第１の実施の形態の場合と同様に、この交流駆動信号ＶcomACにおける各遷移の前後のタイミング（サンプリングタイミングｔｓ１〜ｔｓ８）において、このタッチ検出信号Ｖdetが入力されたＬＰＦ部４２の出力信号をＡ／Ｄ変換して（図２２（Ｂ），（Ｄ），（Ｆ））、データＤ（ｔｓ１）〜Ｄ（ｔｓ８）を求める。そして、タッチ検出部４０の信号処理部４４は、これらのデータＤ（ｔｓ１）〜Ｄ（ｔｓ８）に基づいて、検出データＤＤを求め、それに基づいてタッチ検出を行う。
【０１２６】
表示パネル６では、上記第２の実施の形態に係る表示パネル５の場合と同様に、例えば、パルス幅やパルス間隔を変更し、ノイズの少ない条件においてタッチ検出を行うことにより、様々な周波数のノイズに対する耐性を高めることができる。
【０１２７】
以上のように本実施の形態では、複数行分の表示動作ごとにタッチ検出期間を設けた長いタッチ検出期間において、交流駆動信号を複数のパルスにより構成するとともに、パルス幅およびパルス間隔を変化させるようにしたので、ノイズによる誤動作のおそれを低減することができる。その他の効果は、上記第１および第２の実施の形態の場合と同様である。
【０１２８】
［変形例３−１］
上記実施の形態でも、上記第１の実施の形態の変形例１−１，１−２，１−４，１−５を適用することができる。
【０１２９】
［変形例３−２］
上記実施の形態でも、上記第２の実施の形態の変形例２−３と同様に、例えば単位駆動期間ＰＵごとにパルス幅を切り換えながらタッチ検出動作を行ってもよい。
【０１３０】
＜５．第４の実施の形態＞
次に、第４の実施の形態に係る表示パネル７について説明する。本実施の形態は、長いタッチ検出期間を確保することにより得られたタッチ検出動作の高い自由度を利用して、交流駆動信号ＶcomACのパルスの位置を変更可能に構成したものである。なお、上記第１〜第３の実施の形態に係る表示パネル１，５，６と実質的に同一の構成部分には同一の符号を付し、適宜説明を省略する。
【０１３１】
表示パネル７は、駆動電極ドライバ７６を備えている（図４）。駆動電極ドライバ７６は、１つのパルスから構成される交流駆動信号ＶcomACを生成する。その際、駆動電極ドライバ７６は、パルスの位置を変化させることができる。
【０１３２】
図２３は、表示パネル７のタイミング波形例を表すものであり、（Ａ）は走査信号Ｖscanの波形を示し、（Ｂ）は駆動信号Ｖcomの波形を示す。
【０１３３】
図２３に示したように、駆動電極ドライバ７６は、各タッチ検出期間Ｐｔにおいて、パルス位置が互いに異なる交流駆動信号Ｖcomを生成する。これにより、表示パネル７では、交流駆動信号Ｖcomのパルス間隔（Ｔ１，Ｔ２）を変化させることができ、上記第１の実施の形態の変形例１−４の場合（図１６）と同様に、外乱ノイズに起因するタッチ検出動作の誤動作のおそれを低減することができる。
【０１３４】
以上のように本実施の形態では、複数行分の表示動作ごとにタッチ検出期間を設けた長いタッチ検出期間において、交流駆動信号のパルスの位置を変化させるようにしたので、ノイズによる誤動作のおそれを低減することができる。
【０１３５】
［変形例４−１］
上記実施の形態でも、上記第１の実施の形態の変形例１−１，１−５を適用することができる。
【０１３６】
＜６．第５の実施の形態＞
次に、第５の実施の形態に係る表示パネル８について説明する。本実施の形態は、高解像度の液晶表示デバイスを用いたものである。なお、上記第１の実施の形態に係る表示パネル１と実質的に同一の構成部分には同一の符号を付し、適宜説明を省略する。
【０１３７】
表示パネル８は、液晶表示デバイス８１を有するタッチ検出機能付き表示デバイス８０を備えている（図４）。液晶表示デバイス８１は、例えば、ＨＤ（High Definition）映像を表示できるものであり、解像度は、例えば１９２０ピクセル×１０８０ピクセルである。
【０１３８】
図２４は、表示パネル８のタイミング波形例を表すものであり、（Ａ）は走査信号Ｖscanの波形を示し、（Ｂ）は画素信号Ｖsigの波形を示し、（Ｃ）はスイッチ制御信号Ｖselの波形を示し、（Ｄ）は画素信号Ｖpixの波形を示し、（Ｅ）は駆動信号Ｖcomの波形を示し、（Ｆ）はタッチ検出信号Ｖdetの波形を示す。
【０１３９】
表示パネル８では、上記第１の実施の形態に係る表示パネル１等と同様に、単位駆動期間ＰＵのそれぞれにおいて、タッチ検出動作（タッチ検出期間Ｐｔ）および２行分の表示動作（表示期間Ｐｄ１，Ｐｄ２）が行われる。この例では、交流駆動信号ＶcomACは、１つのパルスにより構成されるものである。表示パネル８では、液晶表示デバイス８１の解像度が高いため、単位駆動期間ＰＵの時間幅が、上記第１の実施の形態に係る表示パネル１の場合（図１０）に比べて短くなっている。
【０１４０】
このような高解像度の表示パネルでは、タッチ検出動作も難しくなる。すなわち、解像度が高い場合には、１フレーム期間（例えば１６．６［msec］＝１／６０［Hz］）に多くの水平ラインの表示動作を行う必要があるため、タッチ検出動作のために割り当てることができる時間が少なくなってしまう。
【０１４１】
表示パネル８では、図２４に示したように、２行分の表示動作ごとにタッチ検出期間Ｐｔを１つ設けることにより、タッチ検出動作のための長い時間を確保することができる。これにより、表示パネル８では、このようにして確保したタッチ検出期間Ｐｔを有効に利用して、交流駆動信号ＶcomACを用いてタッチ検出動作を行うことができる。
【０１４２】
以上のように本実施の形態では、複数行分の表示動作ごとにタッチ検出期間を設けるようにしたので、表示パネルの解像度が高い場合でも、タッチ検出動作を行うのに十分な時間を確保することができる。
【０１４３】
［変形例５−１］
上記実施の形態では、２行分の表示動作ごとにタッチ検出期間Ｐｔを１つ設けたが、これに限定されるものではなく、上記第１の実施の形態の変形例１−１と同様に、複数行分の表示動作ごとに、その行数よりも少ない数のタッチ検出期間Ｐｔを設けるものであれば、どのようなものであってもよい。これにより、タッチ検出期間をより長くすることができるため、表示パネルの解像度が高い場合でも、タッチ検出動作を行うことができる。
【０１４４】
［変形例５−２］
上記実施の形態では、交流駆動信号ＶcomACを１つのパルスにより構成したが、これに限定されるものではなく、上記第１の実施の形態などと同様に、複数のパルスにより構成してもよい。また、上記第２の実施の形態などと同様に、交流駆動信号ＶcomACのパルス幅を変化させることができるように構成してもよい。これにより、様々な周波数のノイズ成分を打ち消すことができ、それらの外乱ノイズに対する耐性を向上することができる。さらに、第１および第２の実施の形態の各変形例を適用してもよい。
【０１４５】
＜７．適用例＞
次に、上記実施の形態および変形例で説明した表示パネルの適用例について説明する。
【０１４６】
図２５は、上記実施の形態等の表示パネルが適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係る表示パネルにより構成されている。
【０１４７】
上記実施の形態等の表示パネルは、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示パネルは、映像を表示するあらゆる分野の電子機器に適用することが可能である。
【０１４８】
以上、いくつかの実施の形態および変形例、ならびに電子機器への適用例を挙げて本技術を説明したが、本技術はこれらの実施の形態等には限定されず、種々の変形が可能である。
【０１４９】
例えば、上記の各実施の形態では、選択スイッチ部１４を設け、ソースドライバ１３から供給された画素信号Ｖsigから画素信号Ｖpixを分離して液晶表示デバイス２０に供給したが、これに限定されるものではなく、これに代えて、選択スイッチ部１４を設けずに、ソースドライバ１３が画素信号Ｖpixを直接液晶表示デバイス２０に供給してもよい。
【０１５０】
例えば、上記の各実施の形態では、表示動作の際、駆動電極ドライバ１６は、駆動電極ＣＯＭＬに対して直流駆動信号ＶcomDCを印加したが、これに限定されるものではなく、これに代えて、例えば、駆動電極ＣＯＭＬに交流駆動信号を印加する、いわゆるＣＯＭ反転駆動を行ってもよい。
【０１５１】
また、例えば、上記の各実施の形態等では、タッチ検出動作の際、所定の本数の駆動電極ＣＯＭＬからなる駆動電極ブロックＢごとに駆動電極ＣＯＭＬを駆動し走査したが、これに限定されるものではなく、これに代えて、例えば、所定の本数の駆動電極ＣＯＭＬを同時に駆動するとともに、その駆動する駆動電極ＣＯＭＬを１本ずつシフトすることにより走査してもよい。以下に、その詳細を説明する。
【０１５２】
図２６は、本変形例に係るタッチ検出動作の一例を模式的に表すものである。本変形例に係る駆動電極ドライバは、所定の本数の駆動電極ＣＯＭＬに対して同時に交流駆動信号ＶcomACを印加する。具体的には、この駆動電極ドライバは、所定の本数（この例では５本）の駆動電極ＣＯＭＬに対して同時に交流駆動信号ＶcomACを印加し（斜線部）、交流駆動信号ＶcomACを印加する駆動電極ＣＯＭＬを１本ずつシフトすることによりタッチ検出走査を行う。なお、この例では、５本の駆動電極ＣＯＭＬに対して同時に交流駆動信号ＶcomACを印加したが、これに限定されるものではなく、これに代えて４本以下もしくは６本以上の駆動電極ＣＯＭＬに対して同時に交流駆動信号ＶcomACを印加してもよい。また、この例では交流駆動信号ＶcomACを印加する駆動電極ＣＯＭＬを１本ずつシフトするようにしたが、これに限定されるものではなく、これに代えて、２以上の本数ずつシフトしてもよい。
【０１５３】
また、例えば、上記の各実施の形態等では、交流駆動信号ＶcomACは、例えば図１１に示したように、直流駆動信号ＶcomDCを基準とした正の電圧のパルスを用いて構成したが、これに限定されるものではなく、これに代えて、負の電圧のパルスを用いて構成してもよい。また、上記第１の実施の形態等において、交流駆動信号ＶcomACを、例えば図２７，２８に示したように、正の電圧のパルスと負の電圧のパルスの両方を用いて構成してもよい。図２７に示した交流駆動信号ＶcomACは、１パルス目を正の電圧のパルスで構成し、２パルス目を負の電圧のパルスで構成したものである。図２８に示した交流駆動信号ＶcomACは、図２７に示した２つのパルスのパルス間隔を０（ゼロ）にしたものである。
【０１５４】
また、例えば、上記の各実施の形態等では、図６に示したように、ＴＦＴ基板２１の上に駆動電極ＣＯＭＬを形成し、その上に絶縁膜２３を介して画素電極２２を形成したが、これに限定されるものではなく、これに代えて、例えば、ＴＦＴ基板２１の上に画素電極２２を形成し、その上に絶縁膜２３を介して駆動電極ＣＯＭＬを形成してもよい。
【０１５５】
また、例えば、上記の各実施の形態等では、ＦＦＳやＩＰＳ等の横電界モードの液晶を用いた液晶表示デバイスとタッチ検出デバイスとを一体化したが、これに代えて、ＴＮ（ツイステッドネマティック）、ＶＡ（垂直配向）、ＥＣＢ（電界制御複屈折）等の各種モードの液晶を用いた液晶表示デバイスとタッチ検出デバイスとを一体化してもよい。このような液晶を用いた場合には、タッチ検出機能付き表示デバイスを、図２９に示したように構成可能である。図２９は、本変形例に係るタッチ検出機能付き表示デバイス１０Ｅの要部断面構造の一例を表すものであり、画素基板２Ｂと対向基板３Ｂとの間に液晶層６Ｂを挟持された状態を示している。その他の各部の名称や機能等は図６の場合と同様なので、説明を省略する。この例では、図６の場合とは異なり、表示用とタッチ検出用の双方に兼用される駆動電極ＣＯＭＬは、対向基板３Ｂに形成されている。
【０１５６】
また、例えば、上記の各実施の形態等では、タッチ検出デバイスは静電容量式としたが、これに限定されるものではなく、これに代えて、例えば光学式であってもよいし、抵抗膜式であってもよい。
【０１５７】
また、例えば、上記の各実施の形態等では、表示素子は液晶素子としたが、これに限定されるものではなく、これに代えて、例えばＥＬ（Electro Luminescence）素子であってもよい。
【０１５８】
なお、本技術は以下のような構成とすることができる。
【０１５９】
（１）表示素子と、
タッチ検出素子と、
１フレーム期間を構成する複数の単位駆動期間のそれぞれにおいて、Ｍ本の水平ラインを順次表示させるように前記表示素子を駆動し、その単位駆動期間内に設けられた、前記Ｍよりも少ないＮ個のタッチ検出期間において前記タッチ検出素子を駆動する駆動部と
を備えた表示装置。
【０１６０】
（２）前記駆動部は、各単位駆動期間において、Ｍ本の水平ラインのうちのＮ本のそれぞれを表示する前に、前記タッチ検出素子を駆動する
前記（１）に記載の表示装置。
【０１６１】
（３）前記タッチ検出素子は、
駆動電極と、
前記駆動電極との間に静電容量を形成するタッチ検出電極と
を有し、
前記駆動部は、各タッチ検出期間において１回以上遷移する交流駆動信号を前記駆動電極に対して印加する
前記（１）または（２）に記載の表示装置。
【０１６２】
（４）前記交流駆動信号は、１または複数のパルスを有する
前記（３）に記載の表示装置。
【０１６３】
（５）一のタッチ検出期間における前記交流駆動信号のパルス幅は、他の一のタッチ検出期間における前記交流駆動信号のパルス幅と異なる
前記（４）に記載の表示装置。
【０１６４】
（６）一のタッチ検出期間における前記交流駆動信号のパルス位置は、他の一のタッチ検出期間における前記交流駆動信号のパルス位置と異なる
前記（４）または（５）に記載の表示装置。
【０１６５】
（７）前記前記タッチ検出電極から出力される検出信号を、前記交流駆動信号の各遷移の前後のタイミングでサンプリングし、各遷移におけるサンプリング結果の変化分に基づいてタッチを検出する検出部を備えた
前記（３）から（６）のいずれかに記載の表示装置。
【０１６６】
（８）前記Ｎは１である
前記（１）から（７）のいずれかに記載の表示装置。
【０１６７】
（９）一のフレーム期間において、一の水平ラインが属する単位駆動期間における、前記一の水平ラインが表示駆動される順番は、他のフレーム期間において、前記一の水平ラインが属する単位駆動期間における、前記一の水平ラインが表示駆動される順番と異なる
前記（１）から（８）のいずれかに記載の表示装置。
【０１６８】
（１０）前記駆動部は、所定本数の前記駆動電極ごとに前記交流駆動信号を印加する
前記（３）から（７）のいずれかに記載の表示装置。
【０１６９】
（１１）前記駆動部は、所定数の単位駆動期間にわたり、同じ駆動電極に対して前記交流駆動信号を印加する
前記（１０）に記載の表示装置。
【０１７０】
（１２）前記表示素子は、
液晶層と、
前記液晶層および前記駆動電極の間に形成され、もしくは前記駆動電極を挟んで前記液晶層と対向するように配置された画素電極と
を含んで構成される
前記（３）から（７）のいずれかに記載の表示装置。
【０１７１】
（１３）前記表示素子は、
液晶層と、
前記液晶層を挟んで前記駆動電極と対向するように配置された画素電極と
を含んで構成される
前記（３）から（７）のいずれかに記載の表示装置。
【０１７２】
（１４）前記駆動部は、前記駆動電極に対して、前記タッチ検出期間以外の期間において表示駆動信号を印加する
前記（１２）または（１３）に記載の表示装置。
【０１７３】
（１５）１フレーム期間を構成する複数の単位駆動期間のそれぞれにおいて、Ｍ本の水平ラインを順次表示させるように表示素子を駆動し、その単位駆動期間内に設けられた、前記Ｍよりも少ないＮ個のタッチ検出期間においてタッチ検出素子を駆動する駆動部を備えた
駆動回路。
【０１７４】
（１６）１フレーム期間を構成する複数の単位駆動期間のそれぞれにおいて、Ｍ本の水平ラインを順次表示させるように表示素子を駆動し、
前記単位駆動期間内に設けられた、前記Ｍよりも少ないＮ個のタッチ検出期間においてタッチ検出素子を駆動する
駆動方法。
【０１７５】
（１７）表示装置と、
前記表示装置を利用した動作制御を行う制御部と
を備え、
前記表示装置は、
表示素子と、
タッチ検出素子と、
１フレーム期間を構成する複数の単位駆動期間のそれぞれにおいて、Ｍ本の水平ラインを順次表示させるように前記表示素子を駆動し、その単位駆動期間内に設けられた、前記Ｍよりも少ないＮ個のタッチ検出期間において前記タッチ検出素子を駆動する駆動部と
を備えた電子機器。
【符号の説明】
【０１７６】
１，５，６，７  表示パネル
２，２Ｂ  画素基板
３，３Ｂ  対向基板
６，６Ｂ  液晶層
１０，８０  タッチ検出機能付き表示デバイス
１１  制御部
１２  ゲートドライバ
１３  ソースドライバ
１４  選択スイッチ部
１６，５６，６６  駆動電極ドライバ
１７  スイッチグループ
２０，８１  液晶表示デバイス
２１  ＴＦＴ基板
２２  画素電極
２３  絶縁層
３０  タッチ検出デバイス
３１  ガラス基板
３２  カラーフィルタ
３５  偏光板
４０  タッチ検出部
４２  ＬＰＦ部
４３  Ａ／Ｄ変換部
４４  信号処理部
４５  座標抽出部
４６  検出タイミング制御部
Ｂ，Ｂ１〜Ｂ２０  駆動電極ブロック
ＤＤ  検出データ
ＧＣＬ  走査信号線
ＬＣ  液晶素子
Ｏut  出力信号
Ｐｄ１〜Ｐｄ４  表示期間
Ｐｔ，Ｐｔ１〜Ｐｔ３  タッチ検出期間
ＰＵ  単位駆動期間
Ｐ１〜Ｐ８  ペア
Ｒ１，Ｆ１，Ｒ２，Ｆ２  変化量
ＳＧＬ  画素信号線
ＳＷＲ，ＳＷＧ，ＳＷＢ  スイッチ
Ｔｒ  ＴＦＴ素子
ｔｓ，ｔｓ１〜ｔｓ８  サンプリングタイミング
ｔｗ  時間
ｔｗ２，ｔｗ３  パルス幅
Ｐix  画素
ＳＰix  サブ画素
ＴＤＬ  タッチ検出電極
Ｖcom  駆動信号
ＶcomAC  交流駆動信号
ＶcomDC  直流駆動信号
Ｖdet  タッチ検出信号
Ｖdisp  映像信号
Ｖpix，ＶpixR，ＶpixG，ＶpixB，Ｖsig  画素信号
Ｖscan  走査信号
Ｖsel,  ＶselR，ＶselG，ＶselB  スイッチ制御信号。
【図１】
0006010653.tif 000002
【図２】
0006010653.tif 000003
【図３】
0006010653.tif 000004
【図４】
0006010653.tif 000005
【図５】
0006010653.tif 000006
【図６】
0006010653.tif 000007
【図７】
0006010653.tif 000008
【図８】
0006010653.tif 000009
【図９】
0006010653.tif 000010
【図１０】
0006010653.tif 000011
【図１１】
0006010653.tif 000012
【図１２】
0006010653.tif 000013
【図１３】
0006010653.tif 000014
【図１４】
0006010653.tif 000015
【図１５】
0006010653.tif 000016
【図１６】
0006010653.tif 000017
【図１７】
0006010653.tif 000018
【図１８】
0006010653.tif 000019
【図１９】
0006010653.tif 000020
【図２０】
0006010653.tif 000021
【図２１】
0006010653.tif 000022
【図２２】
0006010653.tif 000023
【図２３】
0006010653.tif 000024
【図２４】
0006010653.tif 000025
【図２５】
0006010653.tif 000026
【図２６】
0006010653.tif 000027
【図２７】
0006010653.tif 000028
【図２８】
0006010653.tif 000029
【図２９】
0006010653.tif 000030